(57)【要約】【課題】障害等で一旦停止したＭＭＥ＃１が再開した後に、不要なページング信号の送信を回避する。【解決手段】本発明に係る移動通信方法は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおける移動通信方法であって、第２状態において、ＭＭＥ＃１が、かかるＵＥの再アタッチ処理が行われていることを検出した後に、ＵＥのＩＭＳＩを含む「ＤＤＮ」を受信した場合に、ＵＥ宛ての「Ｐａｇｉｎｇ」を送信しない工程とを有する。【選択図】図２
2012147138.tif 000002
【特許請求の範囲】
【請求項１】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおける移動通信方法であって、
前記第２状態において、前記第１移動管理ノードが、前記移動局の再アタッチ処理が行われていることを検出した後に、該移動局の識別情報を含む下りリンクデータ通知信号を受信した場合に、該移動局宛てのページング信号を送信しない工程とを有することを特徴とする移動通信方法。
【請求項２】
前記第１移動管理ノードが、前記移動局宛てのページング信号を送信しない場合、前記第１サービングゲートウェイ装置に対して、その旨を通知する工程と、
前記第１サービングゲートウェイ装置が、前記通知に応じて、前記第１パケットデータネットワークゲートウェイ装置との間で、前記コネクションを解放する工程とを更に有することを特徴とする請求項１に記載の移動通信方法。
【請求項３】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１移動管理ノードとして動作する移動管理ノードであって、
前記第２状態において、前記移動局の再アタッチ処理が行われていることを検出した後に、該移動局の識別情報を含む下りリンクデータ通知信号を受信した場合に、該移動局宛てのページング信号を送信しないように構成されていることを特徴とする移動管理ノード。
【請求項４】
前記移動局宛てのページング信号を送信しない場合、前記第１サービングゲートウェイ装置に対して、その旨を通知するように構成されていることを特徴とする請求項３に記載の移動管理ノード。
【請求項５】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１サービングゲートウェイ装置として動作するサービングゲートウェイ装置であって、
前記第２状態において、前記ベアラを介して受信した前記移動局宛てのユーザデータに応じて、前記第１移動管理ノードに対して、該移動局の識別情報を含む下りリンクデータ通知信号を送信した場合で、かつ、前記コネクションの解放を促す通知情報を含む該下りリンクデータ通知信号に対する応答信号を受信した場合に、該コネクションを解放するように構成されていることを特徴とするサービングゲートウェイ装置。
【発明の詳細な説明】
【技術分野】
【０００１】
本発明は、移動通信方法、移動管理ノード及びサービングゲートウェイ装置に関する。
【背景技術】
【０００２】
３ＧＰＰで規定されているＥＰＳ（Ｅｖｏｌｖｅｄ  Ｐａｃｋｅｔ  Ｓｙｓｔｅｍ）方式の移動通信システムでは、障害等で一旦停止したＭＭＥ（Ｍｏｂｉｌｉｔｙ  Ｍａｎａｇｅｍｅｎｔ  Ｅｎｔｉｔｙ、移動管理ノード）＃１が再開した後に、Ｐ-ＧＷ（Ｐａｃｋｅｔ  Ｄａｔａ  Ｎｅｔｗｏｒｋ-Ｇａｔｅｗａｙ、パケットデータネットワークゲートウェイ装置）＃１が、かかるＭＭＥ＃１配下でアイドル状態のＵＥ（Ｕｓｅｒ  Ｅｑｕｉｐｍｅｎｔ）宛てのユーザデータを受信した場合の動作について提案されている。
【０００３】
以下、図４を参照して、かかる動作について説明する。
【０００４】
図４に示すように、ＵＥとＳ-ＧＷ（Ｓｅｒｖｉｎｇ  Ｇａｔｅｗａｙ、サービングゲートウェイ装置）＃１とＰ-ＧＷ＃１との間で１又は複数のＥＰＳベアラ＃１を含むＰＤＮコネクション＃１が設定されている状態（第１状態）で、ステップＳ３００１において、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される状態（第２状態）に遷移する。
【０００５】
Ｐ-ＧＷ＃１は、ステップＳ３００２において、外部ネットワークから、ＥＰＳベアラ＃１上でのＵＥ宛てのユーザデータを受信すると、ステップＳ３００３において、Ｓ-ＧＷ＃１に対して、ＥＰＳベアラ＃１を介して、かかるＵＥ宛てのユーザデータを送信する。
【０００６】
ステップＳ３００４において、Ｓ-ＧＷ＃１は、ＵＥとＳ-ＧＷ＃１との間でＰＤＮコネクション＃１が解放されているため、ＭＭＥ＃１に対して、「ＤＤＮ（Ｄｏｗｎｌｉｎｋ  Ｄａｔａ  Ｎｏｔｉｆｉｃａｔｉｏｎ、下りリンク通知信号）」を送信する。
【０００７】
ステップＳ３００５において、ＭＭＥ＃１は、「ＤＤＮ」を受信すると、「ＤＤＮ」に含まれる「ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）」によって特定されるＵＥ宛ての「Ｐａｇｉｎｇ」を送信する。
【０００８】
ステップＳ３００６において、ＵＥは、ＵＥ宛ての「Ｐａｇｉｎｇ」を受信すると、再アタッチ処理を開始するために、コアネットワークに対して、「Ａｔｔａｃｈ  Ｒｅｑｕｅｓｔ（アタッチ要求信号）」を送信する。「Ａｔｔａｃｈ  Ｒｅｑｕｅｓｔ」は、無線アクセスネットワークを介してＭＭＥ＃２へ転送される。
【０００９】
ステップＳ３００７において、ＭＭＥ＃２は、ＨＳＳ（Ｈｏｍｅ  Ｓｕｂｓｃｒｉｂｅｒ  Ｓｅｒｖｅｒ、加入者情報サーバ装置）との間で、ＵＥの位置登録処理を行う。
【００１０】
ステップＳ３００８において、ＵＥとＳ-ＧＷ＃２とＰ-ＧＷ＃２との間で１又は複数のＥＰＳベアラ＃２を含むＰＤＮコネクション＃２を設定する。
【００１１】
ステップＳ３００９において、ＭＭＥ＃２は、ＵＥに対して、「Ａｔｔａｃｈ  Ａｃｃｅｐｔ」を送信する。
【先行技術文献】
【非特許文献】
【００１２】
【非特許文献１】３ＧＰＰ  ＴＲ２３.８５７
【発明の概要】
【発明が解決しようとする課題】
【００１３】
しかしながら、図４の例において、Ｐ-ＧＷ＃１が、ステップＳ３０１０において、外部ネットワークから、ＥＰＳベアラ＃１上でのＵＥ宛てのユーザデータを受信した場合、以下のような問題点が発生する。
【００１４】
すなわち、ステップＳ３０１１において、Ｐ-ＧＷ＃１は、Ｓ-ＧＷ＃１に対して、ＥＰＳベアラ＃１を介して、かかるＵＥ宛てのユーザデータを送信し、ステップＳ３０１２において、Ｓ-ＧＷ＃１は、ＵＥとＳ-ＧＷ＃１との間でＰＤＮコネクション＃１が解放されているため、ＭＭＥ＃１に対して、ステップＳ３００４と同様に、ＩＭＳＩが設定された「ＤＤＮ」を送信する。
【００１５】
その結果、ステップＳ３０１３において、ＭＭＥ＃１は、「ＤＤＮ」を受信すると、「ＤＤＮ」に含まれる「ＩＭＳＩ」によって特定されるＵＥ宛ての「Ｐａｇｉｎｇ」を送信してしまい、無駄な無線リソース消費が発生してしまうと共に、ステップＳ３０１４において、通信断が発生してしまう。
【００１６】
或いは、ＭＭＥ＃１が、Ｓ-ＴＭＳＩ等をメモリ上に保持している場合、ＩＭＳＩに代わり、Ｓ-ＴＭＳＩによって特定されるＵＥ宛ての「Ｐａｇｉｎｇ」を送信してもよい。かかる場合、ステップＳ３０１３の「Ｐａｇｉｎｇ」の送信により、無駄な無線リソース消費が発生してしまう。
【００１７】
そこで、本発明は、上述の課題に鑑みてなされたものであり、障害等で一旦停止したＭＭＥ＃１が再開した後に、不要なページング信号の送信を回避することができる移動通信方法、移動管理ノード及びサービングゲートウェイ装置を提供することを目的とする。
【課題を解決するための手段】
【００１８】
本発明の第１の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおける移動通信方法であって、前記第２状態において、前記第１移動管理ノードが、前記移動局の再アタッチ処理が行われていることを検出した後に、該移動局の識別情報を含む下りリンクデータ通知信号を受信した場合に、該移動局宛てのページング信号を送信しない工程とを有することを要旨とする。
【００１９】
本発明の第２の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１移動管理ノードとして動作する移動管理ノードであって、前記第２状態において、前記移動局の再アタッチ処理が行われていることを検出した後に、該移動局の識別情報を含む下りリンクデータ通知信号を受信した場合に、該移動局宛てのページング信号を送信しないように構成されていることを要旨とする。
【００２０】
本発明の第３の特徴は、移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１サービングゲートウェイ装置として動作するサービングゲートウェイ装置であって、前記第２状態において、前記ベアラを介して受信した前記移動局宛てのユーザデータに応じて、前記第１移動管理ノードに対して、該移動局の識別情報を含む下りリンクデータ通知信号を送信した場合で、かつ、前記コネクションの解放を促す通知情報を含む該下りリンクデータ通知信号に対する応答信号を受信した場合に、該コネクションを解放するように構成されていることを要旨とする。
【発明の効果】
【００２１】
以上説明したように、本発明によれば、障害等で一旦停止したＭＭＥ＃１が再開した後に、不要なページング信号の送信を回避することができる移動通信方法、移動管理ノード及びサービングゲートウェイ装置を提供することができる。
【図面の簡単な説明】
【００２２】
【図１】本発明の第１の実施形態に係る移動通信システムの全体構成図である。
【図２】本発明の第１の実施形態に係る移動通信システムの動作について説明するシーケンス図である。
【図３】本発明の変更例１に係る移動通信システムの動作について説明するシーケンス図である。
【図４】従来の移動通信システムの動作について説明するシーケンス図である。
【発明を実施するための形態】
【００２３】
（本発明の第１の実施形態に係る移動通信システム）
図１及び図２を参照して、本発明の第１の実施形態に係る移動通信システムについて説明する。
【００２４】
図１に示すように、本実施形態に係る移動通信システムは、Ｐ-ＧＷ＃１と、Ｐ-ＧＷ＃２と、Ｓ-ＧＷ＃１と、Ｓ-ＧＷ＃２と、ＭＭＥ＃１と、ＭＭＥ＃２と、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と、ＨＳＳとを具備している。
【００２５】
以下、図２を参照して、本実施形態に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００２６】
図２に示すように、ＵＥとＳ-ＧＷ＃１とＰ-ＧＷ＃１との間で１又は複数のＥＰＳベアラ＃１を含むＰＤＮコネクション＃１が設定されている状態（第１状態）で、ステップＳ１００１において、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される状態（第２状態）に遷移する。
【００２７】
なお、かかる場合において、Ｓ-ＧＷ＃１は、ＰＤＮコネクション＃１における特定のＥＰＳベアラのみをＳ-ＧＷ＃１とＰ-ＧＷ＃１との間で解放しないように設定されていてもよい。
【００２８】
かかるＥＰＣベアラは、ＱＣＩ（ＱｏＳ  Ｃｌａｓｓ  Ｉｄｅｎｔｉｆｉｅｒ）や優先度種別「ＡＲＰ（Ａｌｌｏｃａｔｉｏｎ  Ｒｅｔｅｎｔｉｏｎ  Ｐｒｉｏｒｉｔｙ）」等により、Ｓ-ＧＷにおけるＥＰＳベアラの解放の要否が設定されていてもよい。
【００２９】
Ｐ-ＧＷ＃１は、ステップＳ１００２において、外部ネットワークから、ＥＰＳベアラ＃１上でのＵＥ宛てのユーザデータを受信すると、ステップＳ１００３において、ＥＰＳベアラ＃１を介して、Ｓ-ＧＷ＃１に対して、かかるＵＥ宛てのユーザデータを送信する。
【００３０】
ステップＳ１００４において、Ｓ-ＧＷ＃１は、ＵＥとＳ-ＧＷ＃１との間でＰＤＮコネクション＃１が解放されているため（すなわち、ＧＴＰエコー信号等により、ＭＭＥ＃１の再開を検出しているため）、ＭＭＥ＃１に対して、ＵＥのＩＭＳＩと、ＥＰＳベアラ＃１の識別情報である「ＥＰＳ  Ｂｅａｒｅｒ  ＩＤ＃１」とを含む「ＤＤＮ」を送信する。なお、「ＥＰＳ  Ｂｅａｒｅｒ  ＩＤ＃１」は、設定されていなくてもよい。
【００３１】
ステップＳ１００５において、ＭＭＥ＃１は、Ｓ-ＧＷ＃１に対して、「ＤＤＮ」に対する応答信号である「ＤＤＮ  Ａｃｋ」を送信する。なお、かかる「ＤＤＮ  Ａｃｋ」の送信は、省略されてもよい。
【００３２】
ＭＭＥ＃１は、ＩＭＳＩが設定された「ＤＤＮ」を受信すると、ステップＳ１００６/Ｓ１００７において、「ＤＤＮ」に含まれる「ＩＭＳＩ」によって特定されるＵＥ宛ての「Ｐａｇｉｎｇ」を送信するとともに、その旨を記憶する。
【００３３】
ＭＭＥ＃１は、Ｓ-ＴＭＳＩ等をメモリ上に保持している場合、ＩＭＳＩに代わり、Ｓ-ＴＭＳＩによって特定されるＵＥ宛ての「Ｐａｇｉｎｇ」を送信してもよい。
【００３４】
かかる場合、ステップＳ１００８が実施される前に、ＵＥが、ＭＭＥ＃１に対して「Ｓｅｒｖｉｃｅ  Ｒｅｑｕｅｓｔ」を送信し、ＭＭＥ＃１が、ＵＥに対して、拒否信号を通知することで、後述するステップＳ１００８が起動される。
【００３５】
ステップＳ１００８において、ＵＥは、ＵＥ宛ての「Ｐａｇｉｎｇ」を受信すると、再アタッチ処理を開始するために、コアネットワークに対して、ＵＥのＩＭＳＩを含む「Ａｔｔａｃｈ  Ｒｅｑｕｅｓｔ」を送信する。「Ａｔｔａｃｈ  Ｒｅｑｕｅｓｔ」は、無線アクセスネットワークを介してＭＭＥ＃２へ転送される。
【００３６】
ステップＳ１００９において、ＭＭＥ＃２は、ＵＥの位置登録処理を開始するために、ＨＳＳに対して、「Ｕｐｄａｔｅ  Ｌｏｃａｔｉｏｎ  Ｒｅｑｕｅｓｔ」を送信する。
【００３７】
ステップＳ１０１０において、ＨＳＳは、ＭＭＥ＃１に対して、「Ｃａｎｃｅｌ  Ｌｏｃａｔｉｏｎ  Ｒｅｑｕｅｓｔ（位置情報削除要求信号）」を送信する。
【００３８】
ステップＳ１０１１において、ＭＭＥ＃１は、「Ｃａｎｃｅｌ  Ｌｏｃａｔｉｏｎ  Ｒｅｑｕｅｓｔ」を受信したことにより、かかるＵＥが再アタッチしたことを検出する。
【００３９】
ステップＳ１０１２において、ＭＭＥ＃１は、ＨＳＳに対して、「Ｃａｎｃｅｌ  Ｌｏｃａｔｉｏｎ  Ａｎｓｗｅｒ」を送信する。
【００４０】
ステップＳ１０１３において、ＨＳＳは、ＭＭＥ＃２に対して、「Ｕｐｄａｔｅ  Ｌｏｃａｔｉｏｎ  Ａｎｓｗｅｒ」を送信する。
【００４１】
ステップＳ１０１４において、ＵＥとＳ-ＧＷ＃２とＰ-ＧＷ＃２との間で１又は複数のＥＰＳベアラ＃２を含むＰＤＮコネクション＃２を設定する。
【００４２】
ステップＳ１０１５において、ＭＭＥ＃２は、ＵＥに対して、「Ａｔｔａｃｈ  Ａｃｃｅｐｔ」を送信する。
【００４３】
その後、Ｐ-ＧＷ＃１は、ステップＳ１０１６において、外部ネットワークから、ＥＰＳベアラ＃１上でのＵＥ宛てのユーザデータを受信すると、ステップＳ１０１７において、Ｓ-ＧＷ＃１に対して、ＥＰＳベアラ＃１を介して、かかるＵＥ宛てのユーザデータを送信する。
【００４４】
ステップＳ１０１８において、Ｓ-ＧＷ＃１は、ＵＥとＳ-ＧＷ＃１との間でＰＤＮコネクション＃１が解放されているため、ステップＳ１００３と同様に、ＭＭＥ＃１に対して、ＵＥのＩＭＳＩを含む「ＤＤＮ」を送信する。
【００４５】
ここで、ＭＭＥ＃１は、「ＤＤＮ」に含まれる「ＩＭＳＩ」によって特定されるＵＥがアタッチ済みであることを検出しているため、かかるＵＥ宛ての「Ｐａｇｉｎｇ」の送信を行わない。
【００４６】
その後、ＭＭＥ＃１は、ステップＳ１０１９において、Ｓ-ＧＷ＃１に対して、Ｓ-ＧＷ＃１とＰ-ＧＷ＃１との間に保持されているＵＥのＰＤＮコネクション＃１の解放を促す通知情報を含む「ＤＤＮ  Ａｃｋ」又は「ＤＤＮ  Ｆａｉｌｕｒｅ」を送信する。
【００４７】
ここで、ＭＭＥ＃１は、「ＤＤＮ  Ａｃｋ」又は「ＤＤＮ  Ｆａｉｌｕｒｅ」に、「ＥＰＳ  Ｂｅａｒｅｒ  ＩＤ＃１」を含めてもよい。また、ＭＭＥ＃１は、再開前にＵＥに割り当てたＳ-ＴＭＳＩ等のコンテキスト情報（ＵＥに係る情報）をメモリ上に保持している場合、かかるコンテキスト情報を削除してもよい。
【００４８】
ステップＳ１０２０において、Ｓ-ＧＷ＃１は、上述の「通知情報」を受信した場合に、Ｐ-ＧＷ＃１との間で設定されているＵＥの「ＩＭＳＩ」に対応するＰＤＮコネクション＃１を解放するために、Ｐ-ＧＷ＃１に対して、ＵＥのＩＭＳＩに対応する「Ｌｉｎｋｅｄ  Ｂｅａｒｅ  ＩＤ＃１」を含む「Ｄｅｌｅｔｅ  Ｓｅｓｓｉｏｎ  Ｒｅｑｕｅｓｔ」を送信する。
【００４９】
ここで、「Ｌｉｎｋｅｄ  Ｂｅａｒｅ  ＩＤ＃１」は、ＰＤＮコネクション＃１を特定するための識別情報である。
【００５０】
ステップＳ１０２１において、Ｐ-ＧＷ＃１は、ＰＤＮコネクション＃１を解放した後、Ｓ-ＧＷ＃１に対して、「Ｄｅｌｅｔｅ  Ｓｅｓｓｉｏｎ  Ｒｅｓｐｏｎｓｅ」を送信する。
【００５１】
本実施形態に係る移動通信システムによれば、ＭＭＥ＃１が、かかるＵＥに係る「Ｃａｎｃｅｌ  Ｌｏｃａｔｉｏｎ  Ｒｅｑｕｅｓｔ」を受信した場合に、かかるＵＥが再アタッチしたことを検出し、その後、かかるＵＥ宛ての「Ｐａｇｉｎｇ」を送信するように指示するＩＭＳＩが設定された「ＤＤＮ」を受信した場合であっても、かかるＵＥ宛ての「Ｐａｇｉｎｇ」を送信しないように構成されているため、不要な「Ｐａｇｉｎｇ」の送信を回避することによって、無駄な無線リソース消費が発生や通信断の発生を回避することができる。
【００５２】
（変更例１）
以下、図３を参照して、本発明の変更例１に係る移動通信システムについて、上述の第１の実施形態に係る移動通信システムとの相違点に着目して説明する。
【００５３】
以下、図３を参照して、本変更例１に係る移動通信システムにおいて、障害等で一旦停止したＭＭＥ＃１が再開した後に、Ｐ-ＧＷ＃１が、ＭＭＥ＃１配下でアイドル状態のＵＥ宛てのユーザデータを受信した場合の動作について説明する。
【００５４】
図３に示すように、ＵＥとＳ-ＧＷ＃１とＰ-ＧＷ＃１との間で１又は複数のＥＰＳベアラ＃１を含むＰＤＮコネクション＃１が設定されている状態（第１状態）で、ステップＳ２００１において、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される状態（第２状態）に遷移する。
【００５５】
ステップＳ２００２において、ＵＥは、ＭＭＥ＃１に対して、「Ｔｒａｃｋｉｎｇ  Ａｒｅａ  Ｕｐｄａｔｅ  Ｒｅｑｕｅｓｔ（位置登録エリア更新要求信号）」又は「Ｓｅｒｖｉｃｅ  Ｒｅｑｕｅｓｔ（サービス要求信号）」を送信する。
【００５６】
ＭＭＥ＃１は、「Ｔｒａｃｋｉｎｇ  Ａｒｅａ  Ｕｐｄａｔｅ  Ｒｅｑｕｅｓｔ」又は「Ｓｅｒｖｉｃｅ  Ｒｅｑｕｅｓｔ」を受信すると、ＵＥのコンテキスト情報を保持していないため、ステップＳ２００３において、ＵＥに対して、「Ｔｒａｃｋｉｎｇ  Ａｒｅａ  Ｕｐｄａｔｅ  Ｒｅｊｅｃｔ（位置登録エリア更新拒否信号）」又は「Ｓｅｒｖｉｃｅ  Ｒｅｊｅｃｔ（サービス拒否信号）」を送信する。
【００５７】
ステップＳ２００４において、ＵＥは、「Ｔｒａｃｋｉｎｇ  Ａｒｅａ  Ｕｐｄａｔｅ  Ｒｅｊｅｃｔ」又は「Ｓｅｒｖｉｃｅ  Ｒｅｊｅｃｔ」を受信すると、ＭＭＥ＃２に対して、「Ａｔｔａｃｈ  Ｒｅｑｕｅｓｔ」を送信する。
【００５８】
以下、ステップＳ２００５乃至Ｓ２０１７の動作は、図２に示すステップＳ１００９乃至Ｓ１０２１の動作と同一である。
【００５９】
なお、本発明は、上述のケースだけでなく、ＵＥが、再アタッチ処理を実施した場合において、再開したＭＭＥ＃１に対して「Ａｔｔａｃｈ  Ｒｅｑｕｅｓｔ」を送信するケースに対しても同様に適用可能である。
【００６０】
すなわち、かかる場合、ＭＭＥ＃１は、かかるＵＥが再接続したことを知っているため、かかるＵＥに対するＩＭＳＩが設定された「ＤＤＮ」を受信した場合、Ｓ-ＧＷ＃１に対して、Ｓ-ＧＷ＃１とＰ-ＧＷ＃１との間に保持されているＵＥのＰＤＮコネクション＃１の解放を促す通知情報を含む「ＤＤＮ  Ａｃｋ」又は「ＤＤＮ  Ｆａｉｌｕｒｅ」を送信する。
【００６１】
以上に述べた本実施形態の特徴は、以下のように表現されていてもよい。
【００６２】
本実施形態の第１の特徴は、ＵＥ（移動局）とＳ-ＧＷ＃１（第１サービングゲートウェイ装置）とＰ-ＧＷ＃１（第１パケットデータネットワークゲートウェイ装置）との間で１又は複数のＥＰＳベアラ＃１（ベアラ）を含むＰＤＮコネクション＃１（コネクション）が設定されている第１状態で、ＭＭＥ＃１（第１移動管理ノード）が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおける移動通信方法であって、第２状態において、ＭＭＥ＃１が、かかるＵＥの再アタッチ処理が行われていることを検出した後に、ＵＥのＩＭＳＩ（移動局の識別情報）を含む「ＤＤＮ（下りリンクデータ通知信号）」を受信した場合に、ＵＥ宛ての「Ｐａｇｉｎｇ（ページング信号）」を送信しない工程とを有することを要旨とする。
【００６３】
本実施形態の第１の特徴において、ＭＭＥ＃１が、ＵＥ宛ての「Ｐａｇｉｎｇ」を送信しない場合、Ｓ-ＧＷ＃１に対して、その旨を通知する工程と、Ｓ-ＧＷ＃１が、かかる通知に応じて、Ｐ-ＧＷ＃１との間で、ＰＤＮコネクション＃１（コネクション）を解放する工程とを更に有してもよい。
【００６４】
本実施形態の第２の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおいて、ＭＭＥ＃１として動作するＭＭＥであって、第２状態において、かかるＵＥの再アタッチ処理が行われていることを検出した後に、ＵＥのＩＭＳＩを含む「ＤＤＮ」を受信した場合に、ＵＥ宛ての「Ｐａｇｉｎｇ」を送信しないように構成されていることを要旨とする。
【００６５】
本実施形態の第２の特徴において、ＵＥ宛ての「Ｐａｇｉｎｇ」を送信しない場合、Ｓ-ＧＷ＃１に対して、その旨を通知するように構成されていてもよい。
【００６６】
本実施形態の第３の特徴は、ＵＥとＳ-ＧＷ＃１とＰ-ＧＷ＃１との間で１又は複数のＥＰＳベアラ＃１を含むＰＤＮコネクション＃１が設定されている第１状態で、ＭＭＥ＃１が再開した場合、ＵＥとＳ-ＧＷ＃１との間でＰＤＮコネクション＃１が解放され、Ｓ-ＧＷ＃１とＰ-ＧＷ＃１との間でのみＰＤＮコネクション＃１が維持される第２状態に遷移する移動通信システムにおいて、Ｓ-ＧＷ＃１として動作するＳ-ＧＷであって、第２状態において、ＥＰＳベアラ＃１を介して受信したＵＥ宛てのユーザデータに応じて、ＭＭＥ＃１に対して、ＵＥのＩＭＳＩを含む「ＤＤＮ」を送信した場合で、かつ、ＰＤＮコネクション＃１の解放を促す通知情報を含む「ＤＤＮ  Ａｃｋ」又は「ＤＤＮ  Ｆａｉｌｕｒｅ」を受信した場合に、ＰＤＮコネクション＃１を解放するように構成されていることを要旨とする。
【００６７】
なお、上述のＭＭＥ＃１、ＭＭＥ＃２、Ｓ-ＧＷ＃１、Ｓ-ＧＷ＃２、Ｐ-ＧＷ＃１、Ｐ-ＧＷ＃２、ｅＮＢ＃１、ｅＮＢ＃２、ＵＥの動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＭＥ＃１、ＭＭＥ＃２、Ｓ-ＧＷ＃１、Ｓ-ＧＷ＃２、Ｐ-ＧＷ＃１、Ｐ-ＧＷ＃２、ｅＮＢ＃１、ｅＮＢ＃２、ＵＥ内に設けられていてもよい。また、かかる記憶媒体及びプロセッサは、ディスクリートコンポーネントとしてＭＭＥ＃１、ＭＭＥ＃２、Ｓ-ＧＷ＃１、Ｓ-ＧＷ＃２、Ｐ-ＧＷ＃１、Ｐ-ＧＷ＃２、ｅＮＢ＃１、ｅＮＢ＃２、ＵＥ内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
ＵＥ…移動局
ｅＮＢ…無線基地局
ＭＭＥ＃１、ＭＭＥ＃２…移動管理ノード
Ｓ-ＧＷ＃１、Ｓ-ＧＷ＃２…サービングゲートウェイ装置
Ｐ-ＧＷ＃１、Ｐ-ＧＷ…ＰＤＮゲートウェイ装置
ＨＳＳ…加入者情報管理サーバ
【図１】
2012147138.tif 000003
【図２】
2012147138.tif 000004
【図３】
2012147138.tif 000005
【図４】
2012147138.tif 000006
【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおける移動通信方法であって、
前記第２状態において、前記第１移動管理ノードが、前記移動局の再アタッチ処理が完了していることを検出した後に、該移動局の識別情報を含む下りリンクデータ通知信号を受信した場合に、該移動局宛てのページング信号を送信しない工程とを有することを特徴とする移動通信方法。
【請求項２】
前記第１移動管理ノードが、前記移動局宛てのページング信号を送信しない場合、前記第１サービングゲートウェイ装置に対して、前記移動局の再アタッチ処理が完了していることを通知する工程と、
前記第１サービングゲートウェイ装置が、前記通知に応じて、前記第１パケットデータネットワークゲートウェイ装置との間で、前記コネクションを解放する工程とを更に有することを特徴とする請求項１に記載の移動通信方法。
【請求項３】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１移動管理ノードとして動作する移動管理ノードであって、
前記第２状態において、前記移動局の再アタッチ処理が完了していることを検出した後に、該移動局の識別情報を含む下りリンクデータ通知信号を受信した場合に、該移動局宛てのページング信号を送信しないように構成されていることを特徴とする移動管理ノード。
【請求項４】
前記移動局宛てのページング信号を送信しない場合、前記第１サービングゲートウェイ装置に対して、前記移動局の再アタッチ処理が完了していることを通知するように構成されていることを特徴とする請求項３に記載の移動管理ノード。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおける移動通信方法であって、
前記第２状態において、前記第１移動管理ノードが、前記移動局の位置登録処理を行う加入者情報サーバ装置に問い合わせることなく前記移動局の再アタッチ処理が完了していることを検出した後に、該移動局の識別情報を含む下りリンクデータ通知信号を受信した場合に、該移動局宛てのページング信号を送信しない工程とを有することを特徴とする移動通信方法。
【請求項２】
前記第１移動管理ノードが、前記移動局宛てのページング信号を送信しない場合、前記第１サービングゲートウェイ装置に対して、前記移動局の再アタッチ処理が完了していることを通知する工程と、
前記第１サービングゲートウェイ装置が、前記通知に応じて、前記第１パケットデータネットワークゲートウェイ装置との間で、前記コネクションを解放する工程とを更に有することを特徴とする請求項１に記載の移動通信方法。
【請求項３】
移動局と第１サービングゲートウェイ装置と第１パケットデータネットワークゲートウェイ装置との間で１又は複数のベアラを含むコネクションが設定されている第１状態で、第１移動管理ノードが再開した場合、該移動局と該第１サービングゲートウェイ装置との間で該コネクションが解放され、該第１サービングゲートウェイ装置と該第１パケットデータネットワークゲートウェイ装置との間でのみ該コネクションが維持される第２状態に遷移する移動通信システムにおいて、該第１移動管理ノードとして動作する移動管理ノードであって、
前記第２状態において、前記移動局の位置登録処理を行う加入者情報サーバ装置に問い合わせることなく前記移動局の再アタッチ処理が完了していることを検出した後に、該移動局の識別情報を含む下りリンクデータ通知信号を受信した場合に、該移動局宛てのページング信号を送信しないように構成されていることを特徴とする移動管理ノード。
【請求項４】
前記移動局宛てのページング信号を送信しない場合、前記第１サービングゲートウェイ装置に対して、前記移動局の再アタッチ処理が完了していることを通知するように構成されていることを特徴とする請求項３に記載の移動管理ノード。